(57)【要約】【課題】  実装強度の向上が図られたコイル部品を提供する。【解決手段】  コイル部品１においては、実装基板５０に実装する際、端面１２Ｅに設けられた端面部４１Ｅにフィレット６１が形成され、それに加えて、側面１２Ｃに設けられた側面部４１Ｃにフィレット６２が形成される。そのため、端面１２Ｅの側にのみフィレットが形成される従来技術に比べて、フィレット６０の形成範囲が有意に拡大されており、それにより、高い実装強度が実現されている。【選択図】図８
2014216347.tif 000002
【特許請求の範囲】
【請求項１】
巻芯部と、該巻芯部の両端に設けられた一対の鍔部とを有するドラムコアと、
前記巻芯部に巻回されたワイヤと、
前記各鍔部に設けられ、前記ワイヤの端部が電気的に接続された端子電極と
を備え、
前記ドラムコアの各鍔部が、
実装基板に対向可能であり、凹部が設けられた実装面と、
前記巻芯部の軸線に対して交差する端面と、
前記実装面および前記端面に対して交差する一対の側面と
を有し、
前記端子電極が、
前記実装面上に設けられた実装部と、
前記端面上に設けられるとともに、前記実装部と連結された端面部と、
前記実装面の前記凹部に設けられるとともに、前記実装部と連結され、かつ、前記ワイヤの端部が電気的に接続された継線部と、
前記一対の側面の少なくとも一方の側面上に設けられるとともに、前記継線部と連結されている側面部と
を有する、コイル部品。
【請求項２】
前記鍔部の前記側面には、その法線方向が前記実装基板側を向くように傾斜した傾斜面が形成されており、該傾斜面に前記端子電極の前記側面部が形成されている、請求項１に記載のコイル部品。
【請求項３】
前記端子電極の前記側面部が、前記一対の鍔部の対角の位置関係にある前記側面上に設けられている、請求項１または２に記載のコイル部品。
【請求項４】
前記側面部が、前記端面部とは直接接続されずに分離している、請求項１−３のいずれか一項に記載のコイル部品。
【発明の詳細な説明】
【技術分野】
【０００１】
本発明は、コイル部品に関する。
【背景技術】
【０００２】
従来より、ドラムコアにワイヤが巻回されて構成されたコイル部品が知られている。ドラムコアは、巻芯部とその両端に設けられた鍔部とを有している。巻芯部には絶縁被覆されたワイヤが巻回されている。一対の鍔部にはそれぞれ複数の電極が設けられており、各電極にワイヤの端部が電気的に接続されて継線される。このようなコイル部品は、例えば、特開２０１１−２５３８８９号公報（特許文献１）に記載されている。この特許文献１に開示されたコイル部品においては、電極は、巻芯部の軸方向における鍔部の端面に設けられる端面電極部を有しており、コイル部品が実装基板上に実装されるときには、この端面電極部に、はんだフィレット（以下、単にフィレットとも称す。）が形成される。
【先行技術文献】
【特許文献】
【０００３】
【特許文献１】特開２０１１−２５３８８９号公報
【発明の概要】
【発明が解決しようとする課題】
【０００４】
近年、コイル部品を実装基板に実装した際の実装強度の向上に対する要求が増しており、上述したフィレットはその実装強度の向上に寄与する。そのため、端面電極部を拡大することにより、より広範囲にわたってフィレットを形成することが考えられる。
【０００５】
しかしながら、電極とワイヤとが継線される継線部でははんだが十分に上がらず、この継線部においてフィレットの形成が阻害される。そのため、端面電極部を拡大したところで、ある程度以上にフィレットの形成範囲を拡大することは難しく、さらなる実装強度の向上は困難であった。
【０００６】
本発明は、上述の問題を解決するためになされたものであり、実装強度の向上が図られたコイル部品を提供することを目的とする。
【課題を解決するための手段】
【０００７】
本発明に係るコイル部品は、巻芯部と、該巻芯部の両端に設けられた一対の鍔部とを有するドラムコアと、巻芯部に巻回されたワイヤと、各鍔部に設けられ、ワイヤの端部が電気的に接続された端子電極とを備え、ドラムコアの各鍔部が、実装基板に対向可能であり、凹部が設けられた実装面と、巻芯部の軸線に対して交差する端面と、実装面および端面に対して交差する一対の側面とを有し、端子電極が、実装面上に設けられた実装部と、端面上に設けられるとともに、実装部と連結された端面部と、実装面の凹部に設けられるとともに、実装部と連結され、かつ、ワイヤの端部が電気的に接続された継線部と、一対の側面の少なくとも一方の側面上に設けられるとともに、継線部と連結されている側面部とを有する。
【０００８】
このコイル部品においては、実装基板に実装する際、鍔部の側面に設けられた端子電極の側面部にフィレットを形成することができる。それにより、フィレットの形成範囲が有意に拡大されて、実装強度の向上が実現される。
【０００９】
また、鍔部の側面には、その法線方向が実装基板側を向くように傾斜した傾斜面が形成されており、該傾斜面に端子電極の側面部が形成されている態様でもあってもよい。この場合、側面部を設けた場合であっても、コイル部品の外形寸法および実装面積が拡大する事態が抑制される。
【００１０】
さらに、端子電極の側面部が、一対の鍔部の対角の位置関係にある側面上に設けられている態様であってもよい。この場合、側面部に形成されるフィレットにバランスよく応力が付加される。
【００１１】
なお、側面部は、端面部とは直接接続されずに分離している態様であってもよい。
【発明の効果】
【００１２】
本発明によれば、実装強度の向上が図られたコイル部品が提供される。
【図面の簡単な説明】
【００１３】
【図１】図１は、本発明の実施形態に係るコイル部品を示した概略斜視図である。
【図２】図２は、図１のドラムコアの平面図である。
【図３】図３は、図１のドラムコアの端面図である。
【図４】図４は、図１のドラムコアの側面図である。
【図５】図５は、図１のドラムコアの底面図である。
【図６】図６は、図１のコイル部品の底面図である。
【図７】図７は、実装時のコイル部品を示した側面図である。
【図８】図８は、実装時のコイル部品を示した端面図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
本発明の実施形態に係るコイル部品１について図１〜図４を参照しつつ説明する。本実施形態に係るコイル部品１は、小型コモンモードフィルタである。コイル部品１は、図１に示すように、ドラムコア１０と、ドラムコア１０を覆うように配置された板状コア２０とを備えている。
【００１６】
図２〜図４において示されているように、ドラムコア１０は、長手方向に直交する断面が略長方形の巻芯部１１と、巻芯部１１の長手方向両端に設けられた同一形状の一対の鍔部１２、１２とを有している。
【００１７】
巻芯部１１には４本のワイヤ３０が巻回されている。ドラムコア１０の両端に位置している鍔部１２、１２は同一形状であるため、以下特に明記しない限り一方の鍔部１２のみ説明する。また、巻芯部１１の軸心が指向する方向たる長手方向をＸ軸方向と定義し、巻芯部１１の長手方向に直交する断面形状である略長方形の長手方向をＹ軸方向と定義し、Ｘ軸方向とＹ軸方向とに直交する方向をＺ軸方向と定義して説明する。更に、図１の略右下から略左上に向かう方向をＸ軸＋方向と定義し、その逆の方向をＸ軸−方向と定義する。また、図１の略右上から略左下に向かう方向をＹ軸＋方向と定義し、その逆の方向をＹ軸−方向と定義する。また、図１の下から上に向かう方向をＺ軸＋方向と定義し、その逆の方向をＺ軸−方向と定義する。一例として、Ｘ軸方向におけるドラムコア１０の寸法は３．３６ｍｍであり、Ｙ軸方向におけるドラムコア１０の寸法は２．６６ｍｍであり、Ｚ軸方向におけるドラムコア１０の寸法は１．４５ｍｍである。
【００１８】
鍔部１２、１２は、Ｘ軸方向における巻芯部１１の両端に巻芯部１１と一体で設けられている。鍔部１２は略直方体形状をなしており、上端面１２Ａ、実装面１２Ｂ、第１の側面１２Ｃ、第２の側面１２Ｄ、外端面１２Ｅ、内端面１２Ｆの６つの面を有している。
【００１９】
上端面１２Ａと実装面１２Ｂとは平行の位置関係をなしＸＹ平面に平行の位置関係をなしている。上端面１２Ａは、後述する板状コア２０と対向する面であり、板状コア２０に固定される面である。実装面１２Ｂは、後述する実装基板５０と対向する面である。
【００２０】
第１の側面１２Ｃと第２の側面１２Ｄとは平行の位置関係をなしＸＺ平面に平行の位置関係をなしている。また、外端面１２Ｅと内端面１２Ｆとは平行の位置関係をなしＹＺ平面に平行の位置関係をなしている。
【００２１】
実装面１２ＢのＹ軸方向の両端部には、それぞれ凹部１２ａが形成されている。凹部１２ａはより具体的には切欠き部からなり、外端面１２Ｅから内端面１２Ｆに至るまで、略直方体の外面を規定する第１の側面１２Ｃと実装面１２Ｂとの接続部分、第２の側面１２Ｄと実装面１２Ｂとの接続部分がそれぞれ切り欠かれたような形状をなしている。すなわち、巻芯部１１の軸方向に直交する面で切った断面（ＹＺ断面）が略長方形状をなす鍔部１２の、実装面１２Ｂに相当する当該長方形の一の辺の両端の角を切欠いたような形状をなしている。
【００２２】
一対の側面１２Ｃ、１２Ｄのうち、第１の側面１２Ｃには、その下側（すなわち、実装面１２Ｂ側）が切り欠かれたような形状となっており、傾斜面１２ｂが形成されている。傾斜面１２ｂは、その法線方向が下側（後述する実装基板５０側）を向くように傾斜している。傾斜面１２ｂは、一例として、その傾斜角は約１０度であり、その高さは側面１２Ｃの高さの約２／３である。なお、第２の側面１２Ｄには、このような傾斜面１２ｂは形成されていない。
【００２３】
ワイヤ３０は、それぞれ絶縁被覆された銅線により構成されており、４本のワイヤ３０が巻芯部１１に巻回されている。各ワイヤ３０の径は、たとえば０．１４ｍｍである。ワイヤ３０は、巻芯部１１の一部であって鍔部１２に接続されている接続部付近より引き出されて、凹部１２ａへ向かって延びている。ワイヤ３０の一端部、他端部は、計４つの凹部１２ａの近傍にそれぞれ２つずつ配置され、凹部１２ａにおいて後述の端子電極４１、４２と熱圧着により電気的に接続されている。
【００２４】
鍔部１２には、それぞれ端子電極４１、４２が設けられている。端子電極４１及び端子電極４２はそれぞれ、Ａｇペーストを印刷焼き付けしたＡｇ層を下地層とするめっきにより形成され、たとえば中間層のＮｉめっき層および上層のＳｎめっき層を含んでいる。端子電極４１、４２の厚さは、たとえば０．０３ｍｍ程度である。
【００２５】
端子電極４１と端子電極４２とはほぼ鏡面対称形状をなしているため、以下特に明記しない限り端子電極４１についてのみ説明し、端子電極４２については説明を省略する。
【００２６】
端子電極４１は、実装面１２Ｂ上に設けられた実装部４１Ｂと、外端面１２Ｅ上に設けられた端面部４１Ｅと、実装面１２Ｂの凹部１２ａに設けられた継線部４１Ｇと、側面１２Ｃ上に設けられた側面部４１Ｃとを有している。
【００２７】
実装部４１Ｂは、後述する実装基板５０上の導電パターンに電気的に接続される部分であり、図３および図５に示すように、実装面１２Ｂ上であって凹部１２ａが形成されていない領域（凸部領域）に設けられている。より具体的には、端子電極４１の実装部４１Ｂは、凸部領域の側面１２Ｃ側に設けられており、一方、端子電極４２の実装部４２Ｂは、凸部領域の側面１２Ｄ側に設けられており、実装部４１Ｂと実装部４２Ｂとは所定距離だけ離間している。
【００２８】
端面部４１Ｅは、実装部４１Ｂに連結される部分であり、図３に示すように、外端面１２Ｅ上に設けられている。より具体的には、端子電極４１の端面部４１Ｅは、Ｙ方向に関しては実装面１２Ｂの凹部領域および凸部領域を跨るように、Ｚ方向に関しては実装面１２Ｂから上端面１２Ａの近傍に至るまで、外端面１２Ｅの側面１２Ｃ側に広い範囲に設けられている。一方、端子電極４２の端面部４２Ｅも、鏡面対称形状で、外端面１２Ｅの側面１２Ｄ側に広い範囲に設けられている。端面部４１Ｅ、４２Ｅをこのような広範囲に設けることで、めっきの際にメディアが良好に接触するため、めっき形成が容易になるという利点がある。端面部４１Ｅ、４２Ｅも、実装部４１Ｂ、４２Ｂ同様、互いに所定距離だけ離間している。
【００２９】
継線部４１Ｇは、実装部４１Ｂに連結されるとともに、ワイヤ３０の端部と電気的に接続される部分である。継線部４１Ｇは、図３および図５に示すように、実装面１２Ｂの凹部１２ａの内面の略全域を覆うように設けられており、凸部領域の実装部４１Ｂと連続的かつ一体的に設けられている。継線部４１Ｇには、図６に示すように、ワイヤ３０の２つの端部が配置され、熱圧着されることで、ワイヤ３０と電気的に接続される。
【００３０】
側面部４１Ｃは、図４に示すように、側面１２Ｃの傾斜面１２ｂの全域を覆うように設けられている。側面部４１Ｃは、継線部４１Ｇと連結されるように、継線部４１Ｇとは連続的かつ一体的に設けられている。側面部４１Ｃは、外端面１２Ｅ側に設けられた端面部４１Ｅと、その下部において一部接続されているが、側面部４１Ｃが端面部４１Ｅに直接接続されておらず、側面部４１Ｃと端面部４１Ｅとが互いに分離されていてもよい。なお、端子電極４２は、端子電極４１の側面部４１Ｃに相当する部分を有しておらず、側面１２Ｄ上には電極は形成されていない。
【００３１】
なお、図示は省略しているが、上述した一方の鍔部１２だけでなく、他方の鍔部１２にも、上述した端子電極４１、４２と同様の端子電極が設けられている。ただし、一方の鍔部１２と他方の鍔部１２とは、その形状および端子電極の配置が、Ｚ軸周りの点対称の関係になっている。そのため、上述した側面１２Ｃの傾斜面１２ｂおよび側面部４１Ｃは、他方の鍔部１２の、対角の位置関係にある箇所に形成されている。
【００３２】
以上で説明したドラムコア１０上に搭載される板状コア２０は、Ｚ軸方向に厚みを有する略長方形状の板状をなしている。板状コア２０は、その下面がＸＹ平面に平行な位置関係をなしている。板状コア２０がドラムコア１０上に載置されている状態では、その下面２０ａとドラムコア１０の上端面１２Ａの全面とが、接着剤を介して接触し互いに固定されている。
【００３３】
続いて、上述したコイル部品１が実装される態様について、図７および図８を参照しつつ説明する。
【００３４】
コイル部品１は、リフローにより実装基板５０上に実装される。具体的には、コイル部品１の端子電極４１、４２は、実装基板５０に設けられた導電パターン（図示せず）に位置合わせされており、端子電極４１、４２と導電パターンとがはんだ６０を介して互いに導通される。このとき、図７および図８に示すように、端子電極４１の端面部４１Ｅおよび側面部４１Ｃに、はんだフィレット６１、６２が形成される。
【００３５】
端面部４１Ｅに形成されるはんだフィレット６１は、端面部４１Ｅの一部分に形成され、具体的には、凹部１２ａが形成されていない凸部領域に形成されるが、ワイヤ３０が配置された凹部１２ａに対応する部分には形成されない。図７に示すとおり、はんだフィレット６１は、外端面１２ＥからＸ方向に沿って下方に延びているため、特に、Ｘ方向における高い実装強度を実現している。なお、端子電極４２の端面部４２Ｅにも、端面部４１Ｅに形成されたはんだフィレット６１と同様のはんだフィレット６１が形成される。
【００３６】
側面部４１Ｃに形成されるはんだフィレット６２は、側面部４１Ｃの下部に形成される。上述したとおり、側面部４１Ｃは傾斜面１２ｂ上に形成されているため、図８に示すように、はんだフィレット６２は、その一部が、傾斜面１２ｂによって画成された切り欠き部分に収容される。はんだフィレット６２は、側面１２Ｃの傾斜面１２ｂからＹ方向に沿って下方に延びているため、特に、Ｙ方向における高い実装強度を実現している。
【００３７】
以上で説明したとおり、上述したコイル部品１においては、実装基板５０に実装する際、外端面１２Ｅに設けられた端面部４１Ｅにフィレット６１が形成され、それに加えて、側面１２Ｃに設けられた側面部４１Ｃにフィレット６２が形成される。そのため、外端面１２Ｅの側にのみフィレットが形成される従来技術に比べて、フィレット６０の形成範囲が有意に拡大されており、それにより、高い実装強度が実現されている。
【００３８】
また、端子電極４１においては、端面部４１Ｅに形成されるはんだフィレット６１が主にＸ方向の実装強度を確保し、側面部４１Ｃに形成されるはんだフィレット６２が主にＹ方向の実装強度を確保するため、ＸＹ平面内のあらゆる方向で高い実装強度を得ることができる。
【００３９】
さらに、コイル部品１においては、側面部４１Ｃが、側面１２Ｃの傾斜面１２ｂ上に設けられているため、コイル部品１の外形寸法に収まるように側面部４１Ｃを形成することが可能であり、外形寸法の拡大を抑制することができる。また、傾斜面１２ｂによって画成された切り欠き部分に、フィレット６２が収容されることで、コイル部品１の実装面積の拡大が抑制される。
【００４０】
また、コイル部品１においては、上述したとおり、端子電極４１の側面部４１Ｃが、一対の鍔部１２、１２の対角の位置関係にある側面１２Ｃ上に設けられている。そのため、側面部４１Ｃに形成されるフィレット６２にバランスよく応力が付加され、応力の偏りに起因するチップ立ち等の不具合が生じる事態が効果的に抑制されている。
【００４１】
なお、本発明は上述した実施形態に限らず、様々な変形が可能である。
【００４２】
たとえば、鍔部１２に設けられた２つの端子電極４１、４２のうち、一方の端子電極４１にのみ側面部４１Ｃを設ける態様を示したが、他方の端子電極４２にも（側面１２Ｄ上に設けられた）側面部を設ける態様であってもよい。その際、側面１２Ｄに、側面１２Ｃの傾斜面１２ｂと同様の傾斜面を設けてもよい。ただし、１対の鍔部１２の全ての側面（４側面）に傾斜面を設けた場合には、ドラムコアの体積（コアボリューム）が大幅に減少するため、傾斜面は、上述したように対角の位置関係にある２つの側面にのみ設けるほうがより好ましい。
【００４３】
また、ドラムコア１０に４本のワイヤ３０が巻回された態様を示したが、ワイヤ３０の数は適宜増減することができる。
【符号の説明】
【００４４】
１…コイル部品、１０…ドラムコア、１１…巻芯部、１２…鍔部、１２Ａ…上端面、１２Ｂ…実装面、１２Ｃ、１２Ｄ…側面、１２Ｅ…外端面、１２ａ…凹部、１２ｂ…傾斜面、３０…ワイヤ、４１、４２…端子電極、４１Ｂ、４２Ｂ…実装部、４１Ｃ…側面部、４１Ｅ、４２Ｅ…端面部、４１Ｇ、４２Ｇ…継線部、５０…実装基板、６０、６１、６２…はんだフィレット。  
【図１】
2014216347.tif 000003
【図２】
2014216347.tif 000004
【図３】
2014216347.tif 000005
【図４】
2014216347.tif 000006
【図５】
2014216347.tif 000007
【図６】
2014216347.tif 000008
【図７】
2014216347.tif 000009
【図８】
2014216347.tif 000010